(57)【要約】【課題】使い勝手が良好で、かつ、電源の効率的使用が可能な電気錠制御装置の提供を目的とする。【解決手段】切替可能な複数の認証方式を備えた認証部１を備え、該認証部１での認証成立を条件として電気錠２を解錠駆動する電気錠制御装置であって、  利用者による優先認証方式の登録が可能で、認証部１の利用時に登録済み優先認証方式が最先に実行される。【選択図】  図１
2014105501.tif 000002
【特許請求の範囲】
【請求項１】
切替可能な複数の認証方式を備えた認証部を備え、該認証部での認証成立を条件として電気錠を解錠駆動する電気錠制御装置であって、
利用者による優先認証方式の登録が可能で、認証部の利用時に登録済み優先認証方式が最先に実行される電気錠制御装置。
【請求項２】
前記複数の認証方式から利用者により利用可能認証方式として選択された複数の認証方式の一が優先認証方式として指定された優先モードと、前記適数の認証方式のうち一が利用者により利用可能認証方式として選択された単独モードとを有し、
単独モードにおける認証成立後の他の認証方式の登録により優先モードに自動遷移する請求項１記載の電気錠制御装置。
【請求項３】
認証媒体に保持された電子的な認証コードに対して認証する媒体認証方式を前記利用可能認証方式に含み、
前記認証媒体方式のみが利用可能な媒体単独モード以外において認証操作を要求することなく施錠操作を可能にし、
媒体単独モードにおいては、認証媒体による認証成立を施錠操作の実行条件とする請求項２記載の電気錠制御装置。
【請求項４】
前記単独モードにおける他の認証方式の登録により単独モード時の利用可能認証方式を優先認証方式とする優先モードに自動遷移する請求項２または３記載の電気錠制御装置。
【請求項５】
利用者による利用可能認証方式の未決定時に認証動作可能で、利用可能認証方式の全削除により移行するブランクモードを有し、
前記ブランクモードにおける認証後の利用可能認証方式の登録により単独モードに自動遷移する請求項２、３または４記載の電気錠制御装置。
【発明の詳細な説明】
【技術分野】
【０００１】
本発明は、電気錠制御装置に関するものである。
【背景技術】
【０００２】
複数の認証方式による認証が可能な認証部を備えた電気錠制御装置としては、特許文献１に記載のものが知られている。この従来例は入室管理システムとして構成されたもので、入室者に在室人数により決定される認証方式による認証を要求するように構成される。
【０００３】
しかし、この従来例において、認証方式は入室者が知らない在室人数により決定されるために、使い勝手が悪いという問題がある。この問題は、現在の認証方式を知らせる手段を設けることにより回避可能であるが、この場合、周知手段を要するために構造が複雑になるという問題がある。
【０００４】
さらに、上記従来例には、複数の認証方式を指定し、入室者にいずれかの認証方式による認証を求めることも記載されている。これを実現するためには、複数の認証方式による認証手段を同時に起動していずれの認証方式に対して受け入れ可能としたり、あるいは、所定の順序で認証方式を切り替えることが考えられるが、前者にあっては、使用しない認証手段に対する通電は電源の効率的使用に反し、バッテリを電源とする認証装置にあっては、バッテリ寿命を短縮の原因となる。
【０００５】
また、後者にあっては、使用を意図した認証方式が最初の認証方式として設定されていない場合には、当該使用を意図した認証方式になるまでスキップ操作を行う必要があり、使い勝手が悪い上に、不使用の認証手段に対する通電も必要となるために、電源の効率的使用に反するという問題もある。
【先行技術文献】
【特許文献】
【０００６】
【特許文献１】特開２０１１-１４０５８号公報
【発明の概要】
【発明が解決しようとする課題】
【０００７】
本発明は、上述した問題を解決するためになされたものであって、使い勝手が良好で、かつ、電源の効率的使用が可能な電気錠制御装置の提供を目的とする。
【課題を解決するための手段】
【０００８】
本発明によれば上記目的は、
切替可能な複数の認証方式を備えた認証部１を備え、該認証部１での認証成立を条件として電気錠２を解錠駆動する電気錠制御装置であって、
利用者による優先認証方式の登録が可能で、認証部１の利用時に登録済み優先認証方式が最先に実行される電気錠制御装置を提供することにより達成される。
【０００９】
電気錠制御装置の認証部１は複数の認証方式による認証が可能であり、適宜のモード遷移操作を行うことによって使用する認証方式を選択することができ、さらに、利用者は、これら選択可能な認証方式の１つを優先認証方式として登録することができる。優先認証方式が登録されると、制御装置は、利用時に登録された認証方式による認証動作を先行させる。
【００１０】
この結果、不要なスキップ操作が不要となるために、使い勝手が良好な上に、不要な認証手段に対する給電が不要となるために、電源の効率的な使用も可能になる。
【００１１】
また、電気錠制御装置は、
前記複数の認証方式から利用者により利用可能認証方式として選択された複数の認証方式の一が優先認証方式として指定された優先モードと、前記適数の認証方式のうち一が利用者により利用可能認証方式として選択された単独モードとを有し、
単独モードにおける認証成立後の他の認証方式の登録により優先モードに自動遷移するように構成することができる。
【００１２】
電気錠制御装置の運用モードには、利用可能な認証方式が１種類に限定され、他の認証方式の使用が不可能な単独モードと、利用可能な認証方式が複数存在し、そのうちの１種類が優先表示される優先モードとが設定されており、単独モード時に他の認証方式を利用可能認証方式として指定すると、自動的に優先モードに自動的に遷移する。
【００１３】
単独モードと優先モードを設けることにより、使用環境に応じて双方を好みにより選択することが可能になるために、使い勝手が向上し、認証方式の指定操作によりモード変換が行われることから、利用者は、内部のモード等を意識することなく合理的な運用を行うことができるために、使い勝手が向上する。
【００１４】
さらに、電気錠制御装置は、
認証媒体３に保持された電子的な認証コードに対して認証する媒体認証方式を前記利用可能認証方式に含み、
前記認証媒体方式のみが利用可能な媒体単独モード以外において認証操作を要求することなく施錠操作を可能にし、
媒体単独モードにおいては、認証媒体３による認証成立を施錠操作の実行条件とするように構成することができる。
【００１５】
本発明において、認証方式として、非接触型ＩＣカード、あるいは携帯送信機等の認証媒体３に保持される電子的な認証コードを認証対象とする媒体認証方式が含まれ、媒体認証方式が唯一の認証方式として設定される場合には、カードに対する認証を施錠操作の条件とすることにより、カードの置き忘れによる締め出しが確実に防止される。
【００１６】
また、認証媒体３を置き忘れても他の方式で解錠操作が可能なモード、すなわち、媒体単独モード以外のモードにおいては、特別の認証手順を省いて施錠操作を実行することができるために、使い勝手を向上させることができる。
【００１７】
モード変更時にいずれを優先方式とするかは適宜決定されるが、
前記単独モードにおける他の認証方式の登録により単独モード時の利用可能認証方式を優先認証方式とする優先モードに自動遷移するように構成すると、複数人で運用する場合、一人が利用可能認証方式を追加した際にも他の利用者による使用に支障を来さないために、融通性を高めることができる。
【００１８】
さらに、電気錠制御装置は、
利用者による利用可能認証方式の未決定時に認証動作可能で、利用可能認証方式の全削除により移行するブランクモードを有し、
前記ブランクモードにおける認証後の利用可能認証方式の登録により単独モードに自動遷移するように構成することができる。
【発明の効果】
【００１９】
本発明によれば、優先使用する認証方式を最先に起動するために、不要なスキップ操作が不要となり、使い勝手が良好になり、かつ、電源の効率的使用が可能になる。
【図面の簡単な説明】
【００２０】
【図１】本発明を示す機能ブロック図である。
【図２】電気錠制御装置の動作を示すフローチャートである。
【図３】暗証番号認証ステップのフローチャートである。
【図４】カード認証ステップのフローチャートである。
【図５】管理ステップのフローチャートである。
【図６】ＩＤ削除後処理ステップのフローチャートである。
【図７】ユーザーカード削除後処理ステップのフローチャートである。
【図８】暗証番号削除後処理ステップのフローチャートである。
【図９】ユーザーカード登録後処理ステップのフローチャートである。
【図１０】暗証番号登録後処理ステップのフローチャートである。
【図１１】解錠後処理ステップのフローチャートである。
【発明を実施するための形態】
【００２１】
図１に示すように、電気錠制御装置は、制御部４と、制御部４により制御されて作動する認証部１、モード管理部５、モード設定部６、および電気錠駆動部７とを有し、電気錠駆動部７から出力される施解錠駆動信号により電気錠２内のアクチュエータを駆動し、施解錠状態間を遷移させる。また、装置の適宜箇所には、利用者による利用開始、後述する管理モードへの変更等を装置に知らせるための操作開始ボタン８が配置される。
【００２２】
認証部１は、利用者が所持する認証媒体（認証カード３）に保持される認証コードを所定のカード読み取り部９ａから読み込み、コード格納部９ｂ内に登録された基準コードとの一致により認証判定するカード認証装置９と、コード入力部１０ａから利用者が入力した暗証コードとコード格納部１０ｂ内の基準コードとの一致を判定する暗証番号認証装置１０とを備えており、電気錠制御装置の使用が開始されると、上記モード管理部５により指定された認証方式に適合する認証装置が起動され、認証動作が行われる。
【００２３】
電気錠制御装置の運用に際して、カード認証装置９での認証を行うために、通常の運用時にユーザーが使用するユーザーカード３Ａ、ユーザーカード３Ａの登録、暗証コードの削除、変更を行うための管理カード３Ｂ、および後述する”ブランクモード”で使用し、カード認証装置９で認証可能なブランクモードカード３Ｃが用意される。
【００２４】
各認証装置は、認証動作に先立って所定の操作画面を表示し、本例において、カード認証装置９は電気錠制御装置本体に配置されたカード読み取り部９ａの近傍に表示されたカードマークを点灯してカード読み取り部９ａへの認証カード３の翳しを促し、暗証番号認証装置１０は、暗証コード入力部１０ａにテンキーを点灯、表示して暗証コードの入力を促す。
【００２５】
電気錠制御装置には認証カード３を使用して認証を行う媒体認証方式（カード認証方式）のみを利用可能認証方式として使用する「媒体単独モード（カード単独モード）」、暗証番号認証方式のみを使用する「暗証番号単独モード」、カード認証方式と暗証番号認証方式の双方が利用可能認証方式として利用可能で、カード認証方式を優先使用する「カード優先モード」、およびカード認証方式と暗証番号認証方式の双方が利用可能で、暗証番号認証方式を優先使用する「暗証番号優先モード」、さらに上述したブランクモードが設定されており、現在の運用モードは上記モード管理部５に記憶される。
【００２６】
このモード管理部５は、記憶された運用モード情報に基づいて実行手順を管理し、使用可能認証方式として単一の認証方式が選択されている場合、本例においては、「カード単独モード」、あるいは「暗証番号単独モード」が登録されている場合には、指定されたモード以外の使用は禁止され、指定された認証方式のみによる認証装置として動作する。
【００２７】
これに対し、優先モード、本例では「カード優先モード」、あるいは「暗証番号優先モード」が指定されている場合には、利用者の利用要求の受領により、まず、優先される認証方式が実行される。この状態で利用者による当該認証方式による認証動作が行われた場合には、認証動作を完了して初期状態に移行するが、優先された認証方式による認証操作が行われなかった場合には、他の認証方式による認証装置が起動され、当該認証方式による認証操作を促す。
【００２８】
モード設定部６は、認証部１による認証成立を条件に起動され、利用者による利用可能認証方式の追加、削除動作に基づいてモードを自動変更する。
【００２９】
本例において、暗証番号単独モード下で利用者がカード認証方式を登録すると、モード管理部５における登録モードを暗証番号優先モードに変更し、カード単独モード下での暗証番号認証方式の登録によりカード優先モードに変更する。また、暗証番号方式とカード方式の双方を利用可能認証方式から除外した場合には、ブランクモードに移行し、以後、ブランクモードカード３Ｃによる認証のみが可能になる。
【００３０】
電気錠駆動部７は、電気錠２、あるいは扉から出力される施解錠状態信号を監視しており、施錠状態信号を受信している場合、認証部１からの認証成立信号の検出を条件に解錠用ドライブ信号を生成して電気錠２に出力し、該電気錠２を解錠駆動する。また、電気錠駆動部７は、解錠状態信号を受信している状態では、モード管理部５における現在の運用モードを確認し、カード単独モード以外の場合には、操作開始ボタン８の押下信号の受信により施錠用ドライブ信号を生成して電気錠２を施錠駆動する。
【００３１】
これに対し、現在の運用モードがカード単独モードである場合、施錠に際して認証カード３の認証が条件とされ、室内に認証カード３を置き忘れて施錠してしまう締め出し状態の発生が防止される。
【００３２】
なお、本例では、操作開始ボタン８の押下操作を施錠要求とする場合を示したが、操作開始ボタン８の押下を要することなく、所定時間経過後自動的に施錠されるように形成することも可能であり、この場合も、カード単独モード下では、自動施錠に際して認証カード３の認証を要求するように形成される。
【００３３】
図２以下に本実施の形態を動作フローを示す。図２に示すように、運用が開始されると、種々の初期設定が読み込まれ、カードマーク、およびテンキーを消灯状態にして利用者の操作を待つ（ステップＳ１-１）。
【００３４】
この状態で操作開始ボタン８が利用者により押下されると（ステップＳ１-２）、モード管理部５内の現在の運用モード情報に基づいて処理を分岐させ（ステップＳ１-３）、現在の運用モードがカード単独モード、あるいはブランクモードである場合には、図４に示すカード認証ステップが実行される。
【００３５】
これに対し、ステップＳ１-３でカード優先モードが検出された場合には、まず、施解錠信号が確認され（ステップＳ１-５）、当該ステップＳ１-５で解錠状態信号が検出されると施錠処理を実行して待ち状態に復帰し（ステップＳ１-５１）、施錠状態が検出されると、認証カード３を認証するためにカード認証ステップが実行される。
【００３６】
また、ステップＳ１-３で暗証番号優先モード、または暗証番号単独モードが検出されると、施解錠信号が確認され（ステップＳ１-４）、当該ステップＳ１-４で解錠状態信号が検出されると施錠処理を実行して待ち状態に復帰し（ステップＳ１-４１）、施錠状態が検出されると、暗証番号を認証するために、図３に示す暗証番号認証ステップが実行される。
【００３７】
暗証番号認証ステップにおいては、まず、テンキーを点灯させて暗証番号の入力を促した後（ステップＳ２-１）、暗証番号入力の時間計測のため、動作タイマーをスタートさせる（ステップＳ２-２）。動作タイマーによる計時時間中、操作開始ボタン８の押下（ステップＳ２-３）、または暗証番号の入力（ステップＳ２-４）が監視され、タイマー設定時間内に双方の操作が行われなかった場合には（ステップＳ２-５）、待ち状態に復帰する。
【００３８】
これに対し、ステップＳ２-４で暗証番号が入力されると、認証動作が開始され（ステップＳ２-４１）、認証が成立したなかった場合にはエラー通知をした後（ステップＳ２-４１１）、待ち状態に復帰し、認証が成立すると、”暗証番号”フラグをセットした後（ステップＳ２-４２）、解錠処理を行い（ステップＳ２-４３）、図１１に示す解錠処理後ステップが実行される。
【００３９】
さらに、ステップＳ２-３で操作開始ボタン８の押下が検出されると、現在の運用モードが確認される（ステップＳ２-３１）。このステップＳ２-３１でカード優先モード、カード単独モード、またはブランクモードが検出されると、これらが暗証番号モードの次の選択肢とはなり得ないために、操作開始ボタン８の押下操作は初期状態への復帰操作と解し、待ち状態に復帰する。
【００４０】
また、ステップＳ２-３１で暗証番号優先モードが検出された場合には、ステップＳ２-３における操作開始ボタン８の押下操作は、暗証番号認証ステップのスキップ操作と考えられるために、図４に示すカード認証ステップが実行される。
【００４１】
さらに、ステップＳ２-３１で暗証番号単独モードが検出された場合、暗証番号単独モードにおける管理カード３Ｂによる認証を可能にするために、ステップＳ２-３１１で操作開始ボタン８の押下時間が所定時間（本例においては２秒）を超えたか否かを判定し、超えなかった場合には、操作開始ボタン８の押下操作は初期状態への復帰操作と解して待ち状態に復帰し、超えた場合には、管理カード３Ｂによる認証要求と解してカード認証ステップが実行される。
【００４２】
カード認証ステップは、図４に示すように、まず、カードマークを点灯させて認証カード３をカード読み取り部９ａに翳すことを促した後（ステップＳ３-１）、認証カード３を翳すための時間計測のため、動作タイマーをスタートする（ステップＳ３-２）。動作タイマーによる計時中、操作開始ボタン８の押下（ステップＳ３-３）、または認証カード３情報の読み取り（ステップＳ３-４）が監視され、タイマー設定時間内に双方の操作が行われなかった場合には（ステップＳ３-５）、待ち状態に復帰する。
【００４３】
これに対し、ステップＳ３-４で認証カード３の情報が入力されると、読み取った認証カード３がユーザーカード３Ａか管理カード３Ｂかが識別され、ユーザーカード３Ａである場合、正確には認証可能なユーザーカード３Ａである場合（ステップＳ３-４１）、施解錠状態が検出され、解錠状態である場合には（ステップＳ３-４２）施錠処理が実行された後（ステップＳ３-４２１）、待ち状態に復帰する。
【００４４】
上記上記ステップＳ３-４２は、図２の開始ステップにおいてカード単独モード以外は、施錠処理が終了しているために、カード単独モードを対象とした検査ステップとして機能し、結果、カード単独モードでの施錠操作は、認証成立を条件とすることが求められる。
【００４５】
また、ステップＳ３-４２で施錠状態が検出されると、  ”ユーザーカード”フラグをセットした後（ステップＳ３-４３）、解錠処理を行い（ステップＳ３-４４）、図１１に示す解錠処理後ステップが実行される。
【００４６】
これに対し、ステップＳ３-４１でユーザーカード３Ａと識別されなかった場合、まず、管理カード３Ｂか否かが識別され（ステップＳ３-４１１）、管理カード３Ｂでない場合には、待ち状態に復帰し、管理カード３Ｂである場合、”管理カード”フラグをセットした後（ステップＳ３-４１２）、図５に示す管理ステップが実行される。
【００４７】
さらに、ステップＳ３-３で操作開始ボタン８の押下が検出されると、現在の運用モードを確認し（ステップＳ３-３１）、運用モードがカード優先モードの場合には暗証ステップが実行され、それ以外の場合には、操作開始ボタン８の押下操作は初期状態への復帰操作と解し、待ち状態に復帰する。
【００４８】
管理ステップは、図５に示すように、まず、テンキーを点灯し（ステップＳ４-１）、管理種別の特定を促す（ステップＳ４-２）。モード管理は、ＩＤの登録、削除操作により自動的に決定される。
【００４９】
上記ＩＤの削除操作権限は、管理カード３Ｂを使用した管理ステップの実行に対してのみ付与され、管理カード３Ｂを使用しないＩＤ削除操作要求があった場合（ステップＳ４-３、４、５）、エラー通知を発した後（ステップＳ４-３２、４２、５２）、待ち状態に復帰する。
【００５０】
これに対し、設定変更種別が暗証番号、および認証カード３の削除要求である場合には、当該ＩＤ削除処理を実行した後（ステップＳ４-３１）、図６に示すように、動作モードをブランクモードに変更した後（ステップＳ５）、待ち状態に復帰する。また、ステップＳ４-２でユーザーカード３Ａの削除要求があった場合には、ユーザーカード削除処理を実行した後（ステップＳ４-４１）、図７に示すユーザーカード削除後処理ステップが、暗証番号削除が要求された場合には、暗証番号削除処理が実行された後（ステップＳ４-５１）、図８に示す暗証番号削除後処理ステップが各々実行される。
【００５１】
また、ステップＳ４-２でユーザーカード３Ａによる処理が許されるユーザーカード３Ａの登録、あるいは暗証番号の登録、変更が要求された場合、ユーザーカード３Ａ、あるいは管理カード３Ｂか否かの判定が行われ（ステップＳ４-６、７）、いずれでもない場合にはエラー通知を発した後（ステップＳ４-６２、７２）、待ち状態に復帰する。
【００５２】
さらに、ステップＳ４-２において管理カード３Ｂまたはユーザーカード３Ａによるユーザーカード３Ａの登録処理要求がなされた場合には、ユーザーカード登録処理を実行した後（ステップＳ４-６１）、図９に示すユーザーカード登録後処理ステップが、暗証番号登録処理要求がなされた場合には、暗証番号登録処理を実行した後（ステップＳ４-７１）、図１０に示す暗証番号登録後処理ステップが実行される。
【００５３】
ユーザーカード削除後処理ステップにおけるモード変更は、図７に示すように、現在の実行モードがブランクモード、あるいは暗証番号単独モードである場合には、ユーザーカード３Ａの削除により認証環境は変化しないために、動作モードが維持、継続され（ステップＳ６１、６２）、カード単独モードである場合、認証カード３によるアクセスが管理カード３Ｂ、およびブランクカードに限定されるブランクモードに移行し（ステップＳ６３）、待ち状態に復帰する。
【００５４】
また、ユーザーカード削除後処理ステップにおいて実行ステップが暗証番号優先モードである場合には、切替対象であるカード認証方式が削除されるために、暗証番号単独モードに変更された後（ステップＳ６４）、待ち状態に復帰し、カード優先モードの場合には、暗証番号単独モードに移行した後（ステップＳ６５）、待ち状態に復帰する。
【００５５】
さらに、暗証番号削除後処理ステップにおけるモード変更は、図８に示すように、現在の実行モードがブランクモード、あるいはカード単独モードである場合には、暗証番号の削除により認証環境は変化しないために、動作モードが維持、継続され（ステップＳ７１、７３）、暗証番号単独モードである場合には、ブランクモードに移行し（ステップＳ７２）、待ち状態に復帰する。
【００５６】
また、暗証番号削除後処理ステップにおいて実行ステップが暗証番号優先モードである場合には、カード単独モードに移行した後（ステップＳ７４）、カード優先モードである場合には、切替対象である暗証番号認証方式が削除されるために、カード単独モードに変更された後（ステップＳ７５）、待ち状態に復帰する。
【００５７】
ユーザーカード登録後処理ステップにおけるモード変更は、図９に示すように、現在の実行モードがカード単独モード、暗証番号優先モード、あるいはカード優先モードである場合には、ユーザーカード３Ａの登録により認証環境は変化しないために、動作モードが維持、継続される（ステップＳ８３、８４、８５）。
【００５８】
また、実行モードがブランクモードの場合には、ユーザーカード３Ａの登録によりカード単独モードに変更された後（ステップＳ８１）、待ち状態に復帰し、暗証番号単独モードの場合、従前の暗証番号認証方式を優先表示する優先モード、すなわち、暗証番号優先モードに変更された後（ステップＳ８２）、待ち状態に復帰する。
【００５９】
図１０は暗証番号登録後処理ステップにおけるモード変更を示し、現在の実行モードが暗証番号単独モード、暗証番号優先モード、あるいはカード優先モードの場合には、暗証番号の登録により認証環境は変化しないために、動作モードが維持、継続される（ステップＳ９２、９４、９５）。また、実行モードがブランクモードの場合には、暗証番号の登録により暗証番号単独モードに変更された後（ステップＳ９１）、待ち状態に復帰し、カード単独モードの場合、従前のカード認証方式を優先表示する優先モード、すなわち、カード優先モードに変更された後（ステップＳ９３）、待ち状態に復帰する。
【００６０】
一方、解錠処理後ステップは、図１１に示すように、まず、解錠動作が正常に実行されたか否かが判定され（ステップＳ１０）、正常な実行が確認されなかった場合には施解錠エラー表示を発した後（ステップＳ１０１）、待ち状態に復帰する。
【００６１】
これに対し、ステップＳ１０で正常な解錠動作が確認された場合、解錠完了表示を実行した後（ステップＳ１１）、管理ステップへの移行操作が可能になる。管理ステップへの移行は、解錠動作後、所定時間内に操作開始ボタン８を押下し、さらにそのまま一定時間操作開始ボタン８を押し続けることにより行われ、当該操作を検出するために、まず、タイマーＡを起動し（ステップＳ１２）、所定時間内に操作が行われなかった場合には（ステップＳ１４）、待ち状態に復帰する。
【００６２】
一方、タイマーＡのアップ前に操作開始ボタン８の押下操作が行われた場合（ステップＳ１３）、タイマーＢをスタートさせ（ステップＳ１３１）、所定時間の経過が検出されると（ステップＳ１３３）、管理ステップに移行し、その前に操作開始ボタン８の押下操作が中止されると（ステップＳ１３２）待ち状態に復帰する。
【符号の説明】
【００６３】
１        認証部
２        電気錠
３        認証媒体
【図１】
2014105501.tif 000003
【図２】
2014105501.tif 000004
【図３】
2014105501.tif 000005
【図４】
2014105501.tif 000006
【図５】
2014105501.tif 000007
【図６】
2014105501.tif 000008
【図７】
2014105501.tif 000009
【図８】
2014105501.tif 000010
【図９】
2014105501.tif 000011
【図１０】
2014105501.tif 000012
【図１１】
2014105501.tif 000013